(57)【要約】【課題】効率よく昼行性家禽類を増体させることができる照明システムを提供する。【解決手段】照明システム１０は、昼行性家禽類の飼育に用いられる。照明システム１０は、発光ピーク波長が５６０ｎｍ以上５９０ｎｍ以下の第１の光、及び、発光ピーク波長が４５０ｎｍ以上４９０ｎｍ以下の第２の光を発する光源部２２と、光源部２２を制御することにより、育成前期において第１の光を昼行性家禽類の飼育領域７０に照射し、育成後期において第１の光及び第２の光を飼育領域７０に照射する制御部３１とを備える。【選択図】図２
2020010610.tif 000002
【特許請求の範囲】
【請求項１】
昼行性家禽類の飼育に用いられる照明システムであって、
発光ピーク波長が５６０ｎｍ以上５９０ｎｍ以下の第１の光、及び、発光ピーク波長が４５０ｎｍ以上４９０ｎｍ以下の第２の光を発する光源部と、
前記光源部を制御することにより、育成前期において前記第１の光を前記昼行性家禽類の飼育領域に照射し、育成後期において前記第１の光及び前記第２の光を前記飼育領域に照射する制御部とを備える
照明システム。
【請求項２】
前記飼育領域に照射される前記第１の光の明るさは、前記育成後期において前記育成前期よりも暗い
請求項１に記載の照明システム。
【請求項３】
前記育成前期は、第１期間及び前記第１期間に続く第２期間を含み、
前記制御部は、前記光源部を制御することにより、前記第２期間において前記第１の光及び前記第２の光を前記飼育領域に照射し、
前記飼育領域に照射される前記第１の光の明るさは、前記第１期間において前記第２期間よりも明るく、かつ、前記第２期間において前記育成後期よりも明るい
請求項１または２に記載の照明システム。
【請求項４】
前記飼育領域に照射される前記第２の光の明るさは、前記第２期間及び前記育成後期において同一、または、前記育成後期において前記第２期間よりも明るい
請求項３に記載の照明システム。
【請求項５】
前記飼育領域に照射される前記第１の光及び前記第２の光を合わせた明るさは、前記第２期間及び前記育成後期において同一である
請求項３または４に記載の照明システム。
【請求項６】
前記飼育領域に照射される前記第１の光及び前記第２の光を合わせた明るさは、前記育成後期において前記第２期間よりも明るい
請求項３または４に記載の照明システム。
【請求項７】
前記飼育領域に照射される前記第１の光及び前記第２の光を合わせた明るさは、前記育成後期において前記育成後期よりも暗い
請求項３または４に記載の照明システム。
【請求項８】
前期制御部は、前記光源部を制御することにより、育成前期において前記第１の光及び前記第２の光のうち前記第１の光のみを前記飼育領域に照射する
請求項１または２に記載の照明システム。
【請求項９】
前記育成前期において前記飼育領域に照射される前記第１の光の明るさは、前記育成後期において前記飼育領域に照射される前記第１の光及び前記第２の光を合わせた明るさと同一である
請求項８に記載の照明システム。
【請求項１０】
前記育成後期において前記飼育領域に照射される前記第１の光及び前記第２の光を合わせた明るさは、前記育成前期において前記飼育領域に照射される前記第１の光の明るさよりも明るい
請求項８に記載の照明システム。
【請求項１１】
前記育成後期において前記飼育領域に照射される前記第１の光及び前記第２の光を合わせた明るさは、前記育成前期において前記飼育領域に照射される前記第１の光の明るさよりも暗い
請求項８に記載の照明システム。
【請求項１２】
発光ピーク波長が５６０ｎｍ以上５９０ｎｍ以下の第１の光、及び、発光ピーク波長が４５０ｎｍ以上４９０ｎｍ以下の第２の光を発する光源部を用いて、育成前期において前記第１の光を昼行性家禽類の飼育領域に照射し、育成後期において前記第１の光及び前記第２の光を前記飼育領域に照射する
昼行性家禽類の飼育方法。
【発明の詳細な説明】
【技術分野】
【０００１】
本発明は、昼行性家禽類の飼育に用いられる照明システム、及び、昼行性家禽類の飼育方法に関する。
【背景技術】
【０００２】
鶏の飼育は、産業として、日本を含めた世界各国において盛んに行われている。例えば、特許文献１には、鶏舎内の照明を育成初期においては明るくし、出荷時までに徐々に暗くする飼育方法が開示されている。
【先行技術文献】
【特許文献】
【０００３】
【特許文献１】特開２００９−１７１８６６号公報
【発明の概要】
【発明が解決しようとする課題】
【０００４】
食肉用の鶏であるブロイラーなど、昼行性家禽類の飼育においては、効率よく昼行性家禽類を増体させることが求められている。
【０００５】
本発明は、効率よく昼行性家禽類を増体させることができる照明システム、及び、昼行性家禽類の飼育方法を提供する。
【課題を解決するための手段】
【０００６】
本発明の一態様に係る照明システムは、昼行性家禽類の飼育に用いられる照明システムであって、発光ピーク波長が５６０ｎｍ以上５９０ｎｍ以下の第１の光、及び、発光ピーク波長が４５０ｎｍ以上４９０ｎｍ以下の第２の光を発する光源部と、前記光源部を制御することにより、育成前期において前記第１の光を前記昼行性家禽類の飼育領域に照射し、育成後期において前記第１の光及び前記第２の光を前記飼育領域に照射する制御部とを備える。
【０００７】
本発明の一態様に係る昼行性家禽類の飼育方法は、発光ピーク波長が５６０ｎｍ以上５９０ｎｍ以下の第１の光、及び、発光ピーク波長が４５０ｎｍ以上４９０ｎｍ以下の第２の光を発する光源部を用いて、育成前期において前記第１の光を昼行性家禽類の飼育領域に照射し、育成後期において前記第１の光及び前記第２の光を前記飼育領域に照射する
昼行性家禽類の飼育方法。
【発明の効果】
【０００８】
本発明の照明システム、及び、昼行性家禽類の飼育方法によれば、効率よく昼行性家禽類を増体させることができる。
【図面の簡単な説明】
【０００９】
【図１】図１は、実施の形態に係る照明システムの概要を示す図である。
【図２】図２は、実施の形態に係る照明システムの機能構成を示すブロック図である。
【図３】図３は、育成光の発光スペクトルの第１の例を示す図である。
【図４】図４は、育成光の発光スペクトルの第２の例を示す図である。
【図５】図５は、青色光源が発する青色光の発光スペクトルの第１の例を示す図である。
【図６】図６は、青色光源が発する青色光の発光スペクトルの第２の例を示す図である。
【図７】図７は、白色光源が発する白色光の発光スペクトルの例を示す図である。
【図８】図８は、実施例１に係る発光制御を示す模式図である。
【図９】図９は、実施例２に係る発光制御を示す模式図である。
【図１０】図１０は、実施例３に係る発光制御を示す模式図である。
【図１１】図１１は、比較例１に係る発光制御を示す模式図である。
【図１２】図１２は、比較例２に係る発光制御を示す模式図である。
【図１３】図１３は、鶏の体重の推移を示す第１の図である。
【図１４】図１４は、鶏の体重の推移を示す第２の図（第１の図の後半の拡大図）である。
【図１５】図１５は、実施例２の発光制御のフローチャートである。
【図１６】図１６は、実施例２の変形例１に係る発光制御を示す模式図である。
【図１７】図１７は、実施例２の変形例２に係る発光制御を示す模式図である。
【図１８】図１８は、実施例２の変形例３に係る発光制御を示す模式図である。
【図１９】図１９は、実施例２の変形例４に係る発光制御を示す模式図である。
【図２０】図２０は、実施例２の変形例５に係る発光制御を示す模式図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１１】
各図は模式図であり、必ずしも厳密に図示されたものではない。また、各図において、実質的に同一の構成に対しては同一の符号を付しており、重複する説明は省略または簡略化される場合がある。
【００１２】
なお、以下の実施の形態において「同一」という表現は、厳密な同一を意味するわけではなく、実質的に同一であることを意味する。例えば、数％程度の誤差がある場合も「同一」に含まれる。「一定」という表現についても同様である。
【００１３】
（実施の形態）
［構成］
まず、実施の形態に係る照明システムの構成について説明する。図１は、実施の形態に係る照明システムの概要を示す図である。図２は、実施の形態に係る照明システムの機能構成を示すブロック図である。
【００１４】
図１に示されるように、実施の形態に係る照明システム１０は、昼行性家禽類の飼育に用いられる照明システムである、照明システム１０は、より具体的には、養鶏用の照明システムである。照明システム１０は、例えば、鶏舎６０に設置される。図１及び図２に示されるように、照明システム１０は、照明装置２０と、制御装置３０とを備える。以下、各装置について詳細に説明する。
【００１５】
［照明装置］
まず、照明装置２０について詳細に説明する。照明装置２０は、鶏舎６０の天井に設置され、鶏舎６０内を照らす。照明装置２０は、鶏舎６０の天井に少なくとも１つ設置されればよく、複数設置されてもよい。照明装置２０は、具体的には、複数の鶏が飼育されている飼育領域７０（鶏舎６０の床）に光を照射する。これにより、鶏舎６０内の鶏に光が照射される。
【００１６】
鶏舎６０で飼育される鶏の品種は、例えば、ブロイラー（より具体的には、チャンキー、コッブ、または、アーバーエーカなど）であるが、いわゆる地鶏など、他の品種であってもよい。
【００１７】
照明装置２０は、調光回路２１と、光源部２２とを備える。調光回路２１は、制御装置３０（制御部３１）から出力される制御信号に応じて光源部２２に電力を供給する回路である。調光回路２１は、例えば、チョッパ制御回路を含む。制御部３１は、調光回路２１（チョッパ制御回路）に含まれるスイッチング素子を制御信号によってスイッチングすることによって光源部２２に供給する電流を変化させる。なお、調光回路２１は、光源部２２が有する、育成光源２２ｇ、青色光源２２ｂ、及び、白色光源２２ｗの各光源に独立して電力（電流）を供給することができる。
【００１８】
光源部２２が有する育成光源２２ｇは、例えば、発光ピーク波長が５６０ｎｍ以上５９０ｎｍ以下の光を発する。以下では、この光は育成光とも記載される。育成光は、第１の光の一例であって、例えば、単色光である。育成光は、具体的には、発光ピーク波長が５６０ｎｍ以上５７０ｎｍ以下の緑色光（黄緑色光）であってもよいし、発光ピーク波長が５７０ｎｍ以上５９０ｎｍ以下の黄色光であってもよい。なお、育成光は、５０５ｎｍ以上５４５ｎｍ以下の波長範囲に発光ピークを有しない。図３及び図４は、育成光の発光スペクトルの例を示す図である。
【００１９】
育成光源２２ｇは、具体的には、上記育成光を発するように構成されたＬＥＤを用いた発光モジュールであるが、育成光源２２ｇの具体的な態様は、特に限定されない。
【００２０】
光源部２２が有する青色光源２２ｂは、青色光を発する光源である。青色光源２２ｂは、例えば、発光ピーク波長が４５０ｎｍ以上４９５ｎｍ以下の青色光（単色光）を発する。図５及び図６は、青色光源２２ｂが発する青色光の発光スペクトルの例を示す図である。青色光は、第１の光と色度が異なる第２の光の一例である。青色光源２２ｂは、具体的には、青色ＬＥＤを用いた発光モジュールであるが、青色光源２２ｂの具体的な態様は、特に限定されない。
【００２１】
光源部２２が有する白色光源２２ｗは、例えば、ＬＥＤを用いた光源であって白色光を発する。白色光は、第１の光と色度が異なる第２の光の別の一例である。図７は、白色光源２２ｗが発する白色光の発光スペクトルの例を示す図である。
【００２２】
白色光源２２ｗが発する白色光は、黒体軌跡上の白色であってもよいし、黒体軌跡から外れた白色であってもよい。また、白色光源２２ｗが発する白色光の色温度は、特に限定されない。実施の形態では、白色光源２２ｗが発する白色光の色温度は、５０００Ｋ以上８０００Ｋ以下の比較的高い色温度である。
【００２３】
白色光源２２ｗは、具体的には、ＣＯＢ（Ｃｈｉｐ  Ｏｎ  Ｂｏａｒｄ）型の発光モジュール、または、ＳＭＤ（Ｓｕｒｆａｃｅ  Ｍｏｕｎｔ  Ｄｅｖｉｃｅ）型の発光モジュールである。また、白色光源２２ｗは、リモートフォスファー型の発光モジュールであってもよい。白色光源２２ｗは、白熱電球または蛍光灯などであってもよい。
【００２４】
このように、照明装置２０（光源部２２）は、発光ピーク波長が５５５ｎｍ以上５９５ｎｍ以下の育成光と、育成光と色度が異なる青色光または白色光を発する。
【００２５】
［制御装置］
次に、制御装置３０について説明する。制御装置３０は、１以上の照明装置２０を制御するコントローラである。制御装置３０は、制御部３１と、記憶部３２と、計時部３３とを備える。
【００２６】
制御部３１は、照明装置２０の光源部２２を制御する。制御部３１は、具体的には、育成光源２２ｇ、青色光源２２ｂ、及び白色光源２２ｗを独立して制御可能である。つまり、制御部３１は、育成光、青色光、及び、白色光を選択的に飼育領域７０に照射させることができる。制御部３１の制御には、点灯、消灯、及び、調光（点灯状態における明るさの調整）が含まれる。
【００２７】
制御部３１は、具体的には、光源部２２の光出力を制御するためのＤＭＸ制御回路（調光回路）などから構成される。制御部３１は、プロセッサ、またはマイクロコンピュータなどによって構成されてもよい。
【００２８】
記憶部３２は、制御部３１にプロセッサまたはマイクロコンピュータなどが含まれる場合に、制御部３１が実行する制御プログラムが記憶される記憶装置である。記憶部３２は、例えば、半導体メモリによって実現される。
【００２９】
計時部３３は、時間を計測する。計時部３３は、例えば、現在の日時（年月日を含む）を計測する。計時部３３は、具体的には、タイマ回路、または、リアルタイムクロックＩＣなどであるが、どのような態様であってもよい。計時部３３が計測した時間を示す時間情報は、制御部３１に出力され、制御部３１は、計時部３３が計測した時間に応じて光源部２２の制御を行う。
【００３０】
［実施例１］
発明者らは、鶏の育成期間において、発光ピーク波長が５６０ｎｍ以上５９０ｎｍ以下の光を飼育領域７０に照射することにより、鶏の増体を促進することができることを見出した。以下では、照明システム１０を用いた、実施例１〜３、並びに、比較例１及び２について詳細に説明する。図８は、実施例１に係る発光制御を示す模式図である。
【００３１】
図８において縦軸は、光強度（ｐ．ｄ．ｕ．）を示す。なお、光強度は、光源部２２の明るさを示す指標の一例である。１（ｐ．ｄ．ｕ．）は、鶏の眼で白熱灯１ｌｘ（ルクス）相当の光強度である。図８において横軸は、育成期間（日）を示す。
【００３２】
まず、育成期間について説明する。ブロイラーなどの食肉用の鶏の育成期間は、一般的に４９日程度である。実施の形態において、この４９日間の育成期間のうち、育成開始直後の３週間（０日目以降２１日目まで）は、育成前期と定められる。鶏の週齢は、０日目以降７日目までは１、８日目以降１４日目までは２、１５日目以降２１日目までは３である。
【００３３】
また、育成期間のうち、育成前期の直後の４週間（２２日目以降４９日目まで）は、育成後期と定められる。育成後期は、第２期間の一例である。鶏の週齢は、２２日目以降２８日目までは４、２９日目以降３５日目までは５、３６日目以降４２日目までは６、４２日目以降４９日目までは７である。
【００３４】
なお、育成期間の開始点（０日）は、ひな鳥の誕生後、２日または３日経過後とされる場合がある。例えば、育成期間の開始点におけるブロイラーの体重は、４０ｇ程度であり、育成期間の終了時点におけるブロイラーの体重は、３０００ｇ程度になる。
【００３５】
なお、育成前期と育成後期との境界は、上記のように厳密に定められる必要はなく、例えば、育成期間の１９日目以降２４日目までに属してもよい。また、育成期間は、鶏が所定の体重になるまでの期間とされてもよい。つまり、育成期間は、流動的な期間であってもよい。
【００３６】
次に、実施例１に係る発光制御について説明する。図８に示されるように、実施例１では、育成前期において飼育領域７０に少なくとも育成光が照射され、育成後期において飼育領域７０に青色光が選択的に照射される。育成光は、育成光源２２ｇが発する光であり、青色光は、青色光源２２ｂが発する光である。育成前期における育成光の平均光強度は、期間によって異なるが、育成後期における青色光の平均光強度は、１０（ｐ．ｄ．ｕ．）程度である。
【００３７】
実施例１では、育成前期は、期間Ｔ１１、期間Ｔ１２、及び期間Ｔ１３の３つの期間に分けられる。実施例１では、期間Ｔ１１における育成光の平均光強度は、２０（ｐ．ｄ．ｕ．）程度であり、期間Ｔ１１に続く期間Ｔ１２における育成光の平均光強度は、１０（ｐ．ｄ．ｕ．）程度である。実施例１では、期間Ｔ１１における平均光強度は、期間Ｔ１２における平均光強度の１．４倍以上となっている。
【００３８】
なお、以下では、期間Ｔ１１に行われる発光制御は、ブースト発光制御とも記載され、ブースト発光制御が行われる期間は、ブースト期間とも記載される。期間Ｔ１２に行われる発光制御は、通常発光制御とも記載される。
【００３９】
このように、実施例１において、制御部３１は、第１の明るさ（期間Ｔ１１における光強度）の育成光を飼育領域７０に照射させた後、第１の明るさよりも暗い第２の明るさ（期間Ｔ１２における光強度）の育成光を飼育領域７０に照射させる。また、第１の明るさは、第２の明るさよりも１，４倍以上明るい。
【００４０】
実施例１では、期間Ｔ１１は、０日目から３日目までの３日間である。また、実施例１では、期間Ｔ１２は、４日目から９日目までの６日間である。このように、第１の明るさの育成光が飼育領域７０に照射される期間の長さは、第２の明るさの育成光が飼育領域７０に照射される期間の長さよりも短い。
【００４１】
期間Ｔ１２に続く期間Ｔ１３は、鶏を育成光が照射されている環境から青色光が照射されている環境へ順応させるための期間（順応期間）である。期間Ｔ１３は、第１対象期間の一例である。期間Ｔ１３においては、育成光に加えて青色光が照射される。つまり、育成光及び青色光が混ざった光が照射される。期間Ｔ１３は、実施例１では、１０日目から２１日目までの１２日間である。以下では、期間Ｔ１３に行われる発光制御は、混合発光制御とも記載される。
【００４２】
期間Ｔ１３においては、育成光及び青色光は、育成光及び青色光を合わせた平均光強度が１０（ｐ．ｄ．ｕ．）程度になるように照射される。例えば、育成光の光強度は、時間の経過とともに低下し、青色光の光強度は、時間の経過とともに高められる。期間Ｔ１３においては、育成光及び青色光が一定の比率（例えば、１対１）で照射されてもよい。
【００４３】
［実施例２］
次に、実施例２に係る発光制御について説明する。図９は、実施例２に係る発光制御を示す模式図である。
【００４４】
実施例２では、育成前期は、第１期間Ｔ２１及び第１期間Ｔ２１に続く第２期間Ｔ２２の２つの期間に分けられる。第１期間Ｔ２１は、例えば、０日目から９日目までの９日間であり、第２期間Ｔ２２は、１０日目から２１日目までの１２日間である。
【００４５】
第１期間Ｔ２１においては、飼育領域７０に育成光が選択的に照射される。第１期間Ｔ２１における育成光の平均光強度は、１０（ｐ．ｄ．ｕ．）程度である。
【００４６】
第２期間Ｔ２２及び育成後期においては、育成光に加えて青色光が照射される。つまり、育成光及び青色光が混ざった光が照射される。
【００４７】
第２期間Ｔ２２おける育成光の平均光強度、及び、青色光の平均光強度のそれぞれは、５（ｐ．ｄ．ｕ．）程度である。育成後期における育成光の平均光強度は、３（ｐ．ｄ．ｕ）程度であり、育成後期における青色光の平均光強度は、７（ｐ．ｄ．ｕ）程度である。
【００４８】
このように、実施例２では、飼育領域７０に照射される育成光の明るさは、第１期間Ｔ２１において第２期間Ｔ２２よりも明るく、かつ、第２期間Ｔ２２において育成後期よりも明るい。つまり、育成光の明るさは、期間の経過とともに暗くなる。
【００４９】
一方、実施例２では、飼育領域７０に照射される青色光の明るさは、期間の経過とともに明るくなる。つまり、飼育領域７０に照射される青色光の明るさは、育成後期において第２期間Ｔ２２よりも明るい。
【００５０】
なお、実施例２において、飼育領域７０に照射される光の明るさの合計は、期間によらずほぼ一定である。つまり、飼育領域７０に照射される第１の光及び第２の光を合わせた明るさは、第２期間Ｔ２２及び育成後期において同一である。
【００５１】
このような実施例２に係る発光制御によれば、育成前期及び育成後期の両方に育成光が照射されることで、照射中の育成光がある時点で消灯されるような発光制御よりも、鶏へ強い光刺激を与えてしまうことを抑制することができる。
【００５２】
［実施例３］
次に、実施例３に係る発光制御について説明する。図１０は、実施例３に係る発光制御を示す模式図である。
【００５３】
実施例３では、育成前期において飼育領域７０に少なくとも育成光が照射され、育成後期において飼育領域７０に青色光が選択的に照射される。育成前期における育成光の平均光強度は、順応期間を除いてほぼ一定である。育成後期における青色光の平均光強度は、１０（ｐ．ｄ．ｕ．）程度である。
【００５４】
実施例３に係る発光制御は、実施例１に係る発光制御においてブースト期間が設けられない。実施例３に係る発光制御は、ブースト期間が設けられないことを除けば、実施例１に係る発光制御とほぼ同様である。以下、実施例１との相違点について説明する。
【００５５】
実施例３では、育成前期は、期間Ｔ３１及び期間Ｔ３２の２つの期間に分けられる。実施例３では、期間Ｔ３１における育成光の平均光強度は、１０（ｐ．ｄ．ｕ．）程度である。期間Ｔ３１は、例えば、０日目から９日目までの９日間である。
【００５６】
期間Ｔ３１に続く期間Ｔ３２においては、育成光及び青色光は、育成光及び青色光を合わせた平均光強度が１０（ｐ．ｄ．ｕ．）程度になるように照射される。例えば、育成光の光強度は、時間の経過とともに低下し、青色光の光強度は、時間の経過とともに高まる。期間Ｔ３２は、例えば、１０日目から２１日目までの１２日間である。
【００５７】
［比較例１］
次に、比較例１に係る発光制御について説明する。図１１は、比較例１に係る発光制御を示す模式図である。
【００５８】
比較例１では、育成前期及び育成後期を通じて、飼育領域７０に白色光源２２ｗが発する白色光が照射される。育成前期及び育成後期における白色光の平均光強度は、１０（ｐ．ｄ．ｕ．）程度である。
【００５９】
［比較例２］
次に、比較例２に係る発光制御について説明する。図１２は、比較例２に係る発光制御を示す模式図である。
【００６０】
比較例２では、育成前期及び育成後期を通じて、飼育領域７０に白色光源２２ｗが発する白色光が照射される。育成前期における白色光の平均光強度は、１０（ｐ．ｄ．ｕ．）程度であり、育成後期における白色光の平均光強度は、５（ｐ．ｄ．ｕ．）程度である。このように、比較例２では、育成後期における平均光強度が育成前期における平均光強度よりも暗いことが比較例１と異なる。
【００６１】
［育成結果］
以上説明したような実施例１〜３に係る発光制御、並びに、比較例１及び２に係る発光制御を行った場合の鶏の体重は、図１３及び図１４に示されるように変化した。図１３は、鶏の体重の推移を示す第１の図である。図１４は、鶏の体重の推移を示す第２の図（第１の図の後半の拡大図）である。
【００６２】
図１３及び図１４に示される各グラフは、当該グラフが示す発光制御が行われた環境下で育成された数百羽程度の所定数の鶏の平均体重の変化を示している。図１３及び図１４に示される各グラフは、測定開始時の体重を１とした時の相対的な体重を示している。なお、実施例及び比較例のそれぞれにおいて、鶏舎６０内の照明以外の環境（鶏に与えた餌の種類及び量、並びに、空調環境など）は、同一である。
【００６３】
図１３及び図１４に示されるように、育成期間の満了後には、実施例１及び実施例２によって最も高い鶏の増体効果が得られた。実施例１〜３に係る発光制御、並びに、比較例１及び２に係る発光制御を増体効果が高い順に並べると、実施例１及び実施例２がほぼ等しく、以降、実施例３、比較例２、比較例１となる。
【００６４】
このように、育成期間において飼育領域７０に育成光が照射される発光制御によれば、飼育領域７０に育成光が照射されない発光制御よりも、鶏を効率よく増体することができる。
【００６５】
［実施例２に係る発光制御の詳細］
実施例２に係る発光制御の詳細について補足する。図１５は、実施例２の発光制御のフローチャートである。
【００６６】
育成期間の開始後、制御装置３０の制御部３１は、まず、育成光を選択的に飼育領域７０に照射する（Ｓ１１）。制御部３１は、具体的には、飼育領域７０に照射される育成光の平均光強度が１０（ｐ．ｄ．ｕ）となるように育成光源２２ｇを発光させる。
【００６７】
続いて、制御部３１は、計時部３３の計測した時間に基づいて、第１期間Ｔ２１が終了したか否かを判定する（Ｓ１２）。つまり、制御部３１は、第１期間Ｔ２１が第２期間Ｔ２２に遷移したか否かを判定する。
【００６８】
制御部３１は、第１期間Ｔ２１が終了していないと判定した場合（Ｓ１２でＮｏ）、育成光の照射を継続する（Ｓ１１）。一方、制御部３１は、第１期間Ｔ２１が終了したと判定した場合（Ｓ１２でＹｅｓ）、育成光及び青色光を第１条件で照射する（Ｓ１３）。制御部３１は、具体的には、飼育領域７０に照射される育成光の平均光強度が５（ｐ．ｄ．ｕ）となるように育成光源２２ｇを発光させ、かつ、飼育領域７０に照射される青色光の平均光強度が５（ｐ．ｄ．ｕ）となるように青色光源２２ｂを発光させる。
【００６９】
続いて、制御部３１は、計時部３３の計測した時間に基づいて、第２期間Ｔ２２が終了したか否かを判定する（Ｓ１４）。つまり、制御部３１は、第２期間Ｔ２２（育成前期）が育成後期に遷移したか否かを判定する。
【００７０】
制御部３１は、第２期間Ｔ２２が終了していないと判定した場合（Ｓ１４でＮｏ）、第１条件に基づく育成光及び青色光の照射を継続する（Ｓ１３）。一方、制御部３１は、第２期間Ｔ２２が終了したと判定した場合（Ｓ１４でＹｅｓ）、育成光及び青色光を第２条件で照射する（Ｓ１５）。制御部３１は、具体的には、飼育領域７０に照射される育成光の平均光強度が３（ｐ．ｄ．ｕ）となるように育成光源２２ｇを発光させ、かつ、飼育領域７０に照射される青色光の平均光強度が７（ｐ．ｄ．ｕ）となるように青色光源２２ｂを発光させる。
【００７１】
続いて、制御部３１は、計時部３３が計測した時間に基づいて、育成後期が終了したか否かを判定する（Ｓ１６）。制御部３１は、育成後期が終了していないと判定した場合（Ｓ１６でＮｏ）、第２条件に基づく育成光及び青色光の照射を継続する（Ｓ１５）。一方、制御部３１によって育成後期が終了したと判定された場合（Ｓ１６でＹｅｓ）、動作（育成期間）は終了となる。
【００７２】
このような実施例２に係る発光制御によれば、照明システム１０は、効率よく鶏を増体させることができる。なお、実施例１及び実施例３に係る発光制御、及び、後述される実施例２の変形例１〜５に係る発光制御については、図１５のフローチャートに含まれる処理を適宜省略または変更することにより実現可能であるため、詳細な説明については省略される。
【００７３】
［実施例２の変形例１］
上記実施例２に係る発光制御では、育成前期及び育成後期を通じて飼育領域７０に育成光が照射され、少なくとも育成後期には、育成光に加えて青色光が飼育領域７０に照射される。実施例２に係る発光制御は、このような条件を満たす範囲で変形されてもよい。以下、実施例２に係る発光制御の変形例（以下、単に変形例とも記載される）について説明する。
【００７４】
図１６は、変形例１に係る発光制御を示す模式図である。図１６に示される変形例１に係る発光制御では、育成後期における青色光の平均光強度が実施例２に係る発光制御よりも高い。具体的には、育成後期における青色光の平均光強度は、１０（ｐ．ｄ．ｕ）程度である。つまり、飼育領域７０に照射される青色光の明るさは、育成後期において第２期間Ｔ２２よりも明るい。
【００７５】
この結果、飼育領域７０に照射される光の明るさの合計は、育成後期よりも育成後期において大きくなる。つまり、飼育領域７０に照射される第１の光及び第２の光を合わせた明るさは、育成後期において第２期間Ｔ２２よりも明るい。
【００７６】
［実施例２の変形例２］
図１７は、変形例２に係る発光制御を示す模式図である。図１７に示される変形例２に係る発光制御では、育成後期における青色光の平均光強度が実施例２に係る発光制御よりも低い。具体的には、育成後期における青色光の平均光強度は、５（ｐ．ｄ．ｕ）程度である。つまり、飼育領域７０に照射される青色光の明るさは、第２期間Ｔ２２及び育成後期において同一である。
【００７７】
この結果、飼育領域７０に照射される光の明るさの合計は、育成前期よりも育成後期において小さくなる。つまり、飼育領域７０に照射される第１の光及び第２の光を合わせた明るさは、育成後期において第２期間Ｔ２２よりも暗い。
【００７８】
［実施例２の変形例３］
なお、育成前期に青色光が照射されることは必須ではなく、育成前期には育成光のみが選択的に照射されてもよい。図１８は、このような変形例３に係る発光制御を示す模式図である。図１８に示される変形例３に係る発光制御では、育成前期には育成光のみが選択的に飼育領域７０に照射される。飼育領域７０に照射される育成光の明るさは、育成前期において一定である。育成後期においては、実施例２と同様の発光制御が行われる。
【００７９】
なお、飼育領域７０に照射される光の明るさの合計は、育成前期及び育成後期において同一である。つまり、育成前期において飼育領域７０に照射される育成光の明るさは、育成後期において飼育領域７０に照射される育成光及び青色光を合わせた明るさと同一である。
【００８０】
［実施例２の変形例４］
図１９は、変形例４に係る発光制御を示す模式図である。図１９に示される変形例４に係る発光制御では、育成後期における青色光の平均光強度が変形例３に係る発光制御よりも高い。具体的には、育成後期における青色光の平均光強度は、１０（ｐ．ｄ．ｕ）程度である。
【００８１】
この結果、飼育領域７０に照射される光の明るさの合計は、育成前期よりも育成後期において大きくなる。つまり、育成後期において飼育領域７０に照射される育成光及び青色光を合わせた明るさは、育成前期において飼育領域７０に照射される育成光の明るさよりも明るい。
【００８２】
［実施例２の変形例５］
図２０は、変形例５に係る発光制御を示す模式図である。図２０に示される変形例５に係る発光制御では、育成後期における青色光の平均光強度が変形例３に係る発光制御よりも低い。具体的には、育成後期における青色光の平均光強度は、５（ｐ．ｄ．ｕ）程度である。
【００８３】
この結果、飼育領域７０に照射される光の明るさの合計は、育成前期よりも育成後期において小さくなる。つまり、育成後期において飼育領域７０に照射される育成光及び青色光を合わせた明るさは、育成前期において飼育領域７０に照射される育成光の明るさよりも暗い。
【００８４】
［その他の変形例］
また、上記実施例２では、第２期間Ｔ２２は、１０日目から２１日目までの１２日間であった。しかしながら、第２期間Ｔ２２は、適宜変更されてよい。第２期間Ｔ２２は、例えば、４日目以降２８日目までの期間において、１日以上１１日以下程度設けられればよい。変形例１及び２においても同様である。
【００８５】
また、上記の実施例１〜３の発光制御は、例えば、光源部２２が消灯しないまま（常に育成光源２２ｇ、青色光源２２ｂ、及び白色光源２２ｗのいずれかが点灯したまま）育成期間が終了するまで行われるが、１日のうち所定時間、光源部２２が消灯されてもよい。変形例１〜５の発光制御についても同様である。
【００８６】
また、鶏舎６０に人が入室している期間には、上記の実施例１〜３の発光制御が一時的に停止されてもよい。例えば、鶏舎６０に人が入室している間は、飼育領域７０に白色光が照射されてもよい。変形例１〜５の発光制御についても同様である。
【００８７】
［効果等］
以上説明したように、照明システム１０は、鶏などの昼行性家禽類の飼育に用いられる。照明システム１０は、発光ピーク波長が５６０ｎｍ以上５９０ｎｍ以下の第１の光、及び、発光ピーク波長が４５０ｎｍ以上４９０ｎｍ以下の第２の光を発する光源部２２と、光源部２２を制御することにより、育成前期において第１の光を昼行性家禽類の飼育領域７０に照射し、育成後期において第１の光及び第２の光を飼育領域７０に照射する制御部３１とを備える。第１の光は、例えば、上記実施の形態の育成光であり、第２の光は、例えば、上記実施の形態の青色光である。
【００８８】
このような照明システム１０は、実施例２、変形例１〜５に示されるように、昼行性家禽類を効率よく増体することができる。また、このような照明システム１０は、育成前期及び育成後期の両方に第１の光を照射することで、昼行性家禽類に与える光刺激（光環境の急変）を抑制することができる。
【００８９】
また、例えば、飼育領域７０に照射される第１の光の明るさは、育成後期において育成前期よりも暗い。
【００９０】
このような照明システム１０は、育成後期において育成前期よりも第１の光の明るさを減らすことで、昼行性家禽類へ与える光刺激を抑制しつつ、昼行性家禽類を効率よく増体することができる。
【００９１】
また、例えば、育成前期は、第１期間Ｔ２１及び第１期間Ｔ２１に続く第２期間Ｔ２２を含む。制御部３１は、光源部２２を制御することにより、第２期間Ｔ２２において第１の光及び第２の光を飼育領域７０に照射する。飼育領域７０に照射される第１の光の明るさは、第１期間Ｔ２１において第２期間Ｔ２２よりも明るく、かつ、第２期間Ｔ２２において育成後期よりも明るい。
【００９２】
このような照明システム１０は、実施例２、変形例１〜２のように、段階的に第１の光の明るさを減らすことで、昼行性家禽類へ与える光刺激を抑制しつつ、昼行性家禽類を効率よく増体することができる。
【００９３】
また、例えば、飼育領域７０に照射される第２の光の明るさは、第２期間Ｔ２２及び育成後期において同一、または、育成後期において第２期間Ｔ２２よりも明るい。
【００９４】
このような照明システム１０は、実施例２、変形例１〜２のように、昼行性家禽類を効率よく増体することができる。
【００９５】
また、例えば、飼育領域７０に照射される第１の光及び第２の光を合わせた明るさは、第２期間Ｔ２２及び育成後期において同一である。
【００９６】
このような照明システム１０は、実施例２のように、昼行性家禽類を効率よく増体することができる。
【００９７】
また、例えば、飼育領域７０に照射される第１の光及び第２の光を合わせた明るさは、育成後期において第２期間Ｔ２２よりも明るい。
【００９８】
このような照明システム１０は、変形例１のように、昼行性家禽類を効率よく増体することができる。
【００９９】
また、例えば、飼育領域７０に照射される第１の光及び第２の光を合わせた明るさは、育成後期において育成後期よりも暗い。
【０１００】
このような照明システム１０は、変形例２のように、昼行性家禽類を効率よく増体することができる。
【０１０１】
また、例えば、制御部３１は、光源部２２を制御することにより、育成前期において第１の光及び第２の光のうち第１の光のみを飼育領域７０に照射する。
【０１０２】
このような照明システム１０は、変形例３〜５のように、昼行性家禽類を効率よく増体することができる。
【０１０３】
また、例えば、育成前期において飼育領域７０に照射される第１の光の明るさは、育成後期において飼育領域７０に照射される第１の光及び第２の光を合わせた明るさと同一である。
【０１０４】
このような照明システム１０は、変形例３のように、昼行性家禽類を効率よく増体することができる。
【０１０５】
また、例えば、育成後期において飼育領域７０に照射される第１の光及び第２の光を合わせた明るさは、育成前期において飼育領域７０に照射される第１の光の明るさよりも明るい。
【０１０６】
このような照明システム１０は、変形例４のように、昼行性家禽類を効率よく増体することができる。
【０１０７】
また、例えば、育成後期において飼育領域７０に照射される第１の光及び第２の光を合わせた明るさは、育成前期において飼育領域７０に照射される第１の光の明るさよりも暗い。
【０１０８】
このような照明システム１０は、変形例５のように、昼行性家禽類を効率よく増体することができる。
【０１０９】
また、昼行性家禽類の飼育方法は、発光ピーク波長が５６０ｎｍ以上５９０ｎｍ以下の第１の光、及び、発光ピーク波長が４５０ｎｍ以上４９０ｎｍ以下の第２の光を発する光源部２２を用いて、育成前期において第１の光を昼行性家禽類の飼育領域７０に照射し、育成後期において第１の光及び第２の光を飼育領域７０に照射する。
【０１１０】
このような飼育方法は、実施例２、変形例１〜５のように、昼行性家禽類を効率よく増体することができる。また、このような飼育方法は、育成前期及び育成後期の両方に第１の光を照射することで、昼行性家禽類に与える光刺激を抑制することができる。
【０１１１】
（その他の実施の形態）
以上、実施の形態に係る照明システム、及び、昼行性家禽類の飼育方法について説明したが、本発明は、上記実施の形態に限定されない。
【０１１２】
例えば、上記実施の形態で説明された光源部の構成は、一例である。光源部には、蛍光管、メタルハライドランプ、ナトリウムランプ、ハロゲンランプ、キセノンランプ、または、ネオン管等が用いられてもよい。また、光源部には、無機エレクトロルミネッセンス、有機エレクトロルミネッセンス、ケミルミネッセンス（化学発光）、または、半導体レーザー等が使用されてもよい。また、光源部は、分光フィルター等によって所望の色の光を発してもよい。光源部は、所望の色の光を発することができるのであれば、特に限定されない。
【０１１３】
また、上記実施の形態に係る照明システムは、アヒル、七面鳥、またはホロホロチョウなど、鶏以外の昼行性家禽類の飼育に用いられてもよい。
【０１１４】
また、上記実施の形態において、特定の処理部が実行する処理を別の処理部が実行してもよい。また、上記実施の形態のフローチャート等で説明された処理の順序は、一例である。複数の処理の順序は変更されてもよいし、複数の処理は並行して実行されてもよい。
【０１１５】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１６】
また、各構成要素は、ハードウェアによって実現されてもよい。例えば、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１１７】
また、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。例えば、本発明は、照明装置の制御方法として実現されてもよいし、照明装置の制御方法をコンピュータに実行させるためのプログラムとして実現されてもよいし、上記実施の形態に係る制御装置として実現されてもよい。
【０１１８】
また、上記実施の形態において、照明システムは、複数の装置によって実現されたが、単一の装置として実現されてもよい。照明システムが複数の装置によって実現される場合、照明システムが備える構成要素は、複数の装置にどのように振り分けられてもよい。
【０１１９】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【０１２０】
例えば、本発明は、上記実施の形態で説明された実施例１〜３、及び、変形例１〜５を任意に組み合わせることによって得られる発光制御を行う照明システムとして実現されてもよい。
【符号の説明】
【０１２１】
１０  照明システム
２２  光源部
３１  制御部
７０  飼育領域
【図１】
2020010610.tif 000003
【図２】
2020010610.tif 000004
【図３】
2020010610.tif 000005
【図４】
2020010610.tif 000006
【図５】
2020010610.tif 000007
【図６】
2020010610.tif 000008
【図７】
2020010610.tif 000009
【図８】
2020010610.tif 000010
【図９】
2020010610.tif 000011
【図１０】
2020010610.tif 000012
【図１１】
2020010610.tif 000013
【図１２】
2020010610.tif 000014
【図１３】
2020010610.tif 000015
【図１４】
2020010610.tif 000016
【図１５】
2020010610.tif 000017
【図１６】
2020010610.tif 000018
【図１７】
2020010610.tif 000019
【図１８】
2020010610.tif 000020
【図１９】
2020010610.tif 000021
【図２０】
2020010610.tif 000022